(57)【要約】【課題】弾性層の表面に任意の曲線形状の溝を形成する場合、全周にわたっての平滑面を得ることができないなどの課題があった。【解決手段】円筒状または円柱状の基体と、該基体の外周面上の弾性層とを有し、該弾性層の表面に溝を有する電子写真用ローラの製造方法であって、内周面に環状の吐出口を有する塗布リングであって、該吐出口が、フロントリップと、該フロントリップに対向して配置されてなるリアリップとで構成されている塗布リングを備えた塗布装置を用意する工程を含み、該基体の外周面上に形成される弾性層形成用塗布液の塗膜の表面に、該リアリップに設けられた、該基体の回転軸に沿う方向と平行な方向に伸びる線状突起によって、該線状突起に対応する凹凸形状を形成する工程を含む、ことを特徴とする電子写真用ローラの製造方法。【選択図】図１
2018169588.tif 000002
【特許請求の範囲】
【請求項１】
円筒状または円柱状の基体と、該基体の外周面上の弾性層とを有し、該弾性層の表面に溝を有する電子写真用ローラの製造方法であって、
（１）内周面に環状の吐出口を有する塗布リングであって、該吐出口が、フロントリップと、該フロントリップに対向して配置されてなるリアリップとで構成されている塗布リングを備えた塗布装置を用意する工程と、
（２）円筒状または円柱状の基体を、該基体の回転軸が、該塗布リングの中心軸と同軸となるように、該塗布装置に配置する工程と、
（３）該塗布リングを、該基体の回転軸に沿う方向に相対的に移動させつつ、該塗布リングを備えた塗布装置の吐出口から該基体の外周面に弾性層形成用塗布液を吐出させて、該基体の外周面に、該弾性層形成用塗布液の塗膜を形成する工程と、を有し、
該リアリップには、該基体の回転軸に沿う方向と平行な方向に延びる線状突起が設けられており、
該工程（３）において、該塗布リングの該基体に対する移動を、該リアリップが移動方向の上流側に位置するように行って、該基体の外周面上に形成される該塗膜の表面に、該線状突起に対応する凹凸形状を形成する工程を含む、ことを特徴とする電子写真用ローラの製造方法。
【請求項２】
前記塗布リングを有する塗布装置の有する、前記ローラの軸方向両端部を支持するための支持部材に、前記ローラをローラの長手方向の中心軸を回転中心とし、ローラの周方向に正回転または逆回転させるための駆動源が直接または間接的に連結している請求項１に記載の電子写真用ローラの製造方法。
【請求項３】
前記ローラを回転させるための駆動源が数値制御可能な電動機を使用し、事前に設定された任意のタイミングでローラの周方向の回転方向や回転速度の変更を行う請求項２に記載の電子写真用ローラの製造方法。
【請求項４】
前記線状突起のローラの周方向に対する、ローラの軸方向の中心軸を回転中心としたときのピッチ角度が１°以上３６０°以下である請求項１〜３のいずれか１項に記載の電子写真用ローラの製造方法。
【請求項５】
前記ローラの外周面に塗布液を塗布して形成される塗膜の厚みをｔとした時に、前記線状突起の高さｈが、ｔ≧ｈであらわされる請求項１〜３のいずれか１項に記載の電子写真用ローラの製造方法。
【請求項６】
前記ローラの外周面に塗布される塗布液がゴム材料を含む被覆材料で被覆形成し加硫硬化させることにより、該被覆材料の降伏応力が５０Ｐａ以上６００Ｐａ以下であり、かつチキソトロピーインデックスが２．０以上６．５以下である非ニュートン性液状を持った塗布液である請求項１〜３のいずれか１項に記載の電子写真用ローラの製造方法。
【発明の詳細な説明】
【技術分野】
【０００１】
本発明は、電子写真方式を用いた画像形成装置の機能部品として使用される電子写真用ローラの製造方法に関する。
【背景技術】
【０００２】
電子写真用ローラ（以降、単に「ローラ」と称する場合がある）の外周面に弾性層形成用塗布液を塗布して弾性層を形成した後に、弾性層の表面に任意の形状を持った溝を形成する場合がある。その方法として、以下の方法が広く知られている。（１）ローラの弾性層の外径と略等しい内径を持った金型の内周面に任意の曲線形状の線状突起を持った該金型を弾性層の架橋前もしくは架橋後に弾性層に押圧して溝を形成する転写法（特許文献１及び特許文献２）。（２）刃物をローラの弾性層に当接させた後に該刃物を弾性層にわずかに切り込み、ローラを軸方向の中心軸を回転中心として回転させながら刃物をローラの軸方向に対して平行に移動させる切削法。（３）ローラを軸方向の中心軸を回転中心としてローラの周方向に正回転もしくは逆回転させながら弾性層に照射しているレーザ光をローラの軸方向に対して平行に移動させる方法。
【先行技術文献】
【特許文献】
【０００３】
【特許文献１】特開平６−１６６１０１号公報
【特許文献２】特開２０１３−７５４６１号公報
【発明の概要】
【発明が解決しようとする課題】
【０００４】
前記（１）の方法で弾性層の表面に任意の形状の溝を形成する場合、（ａ）分割式の金型を使用する場合と（ｂ）一体形の金型を使用することが一般的である。しかし、（ａ）の方法でローラを成形する場合、金型と金型の接合面におけるローラ表面にパーティングラインが発生し、微小な段差が発生し、全周にわたっての平滑面を得ることができない場合がある。また、（ｂ）の方法でローラを成形する場合、金型からローラを抜き取るために溝の深さを大きく取ることができず、また、溝の形状を変更するごとに金型が必要となる。
【０００５】
前記（２）の方法で弾性層の表面に任意の形状の溝を形成する場合、溝を形成するローラの弾性層の厚みにばらつき（膜厚ムラ）があり、厚みが一定以下であると、刃物での溝の形成が困難となり、さらに微小な角度ピッチで溝を形成することが困難となる。そのため、前記（２）の方法においては、溝形成のためには一定以上の弾性層の厚みが必要となり、一般的には０．１ｍｍ以上必要である。
【０００６】
前記（３）の方法で弾性層の表面に任意の形状の溝を形成する場合、形成された溝の曲面と弾性層の外周面が接するエッジ部分の弾性層の外周面側に、レーザ光によって溶融された弾性層の一部が凸状を形成する。そのため、平滑な弾性層の表面を得ることが困難となる。
【０００７】
本発明の一態様は、従来の製造方法と比較して、弾性層の表面に任意の形状の溝を、より高精度に、かつ、安定して形成する電子写真用ローラの製造方法を提供することに向けたものである。
【課題を解決するための手段】
【０００８】
本発明の一態様によれば、
円筒状または円柱状の基体と、該基体の外周面上の弾性層とを有し、該弾性層の表面に溝を有する電子写真用ローラの製造方法であって、
（１）内周面に環状の吐出口を有する塗布リングであって、該吐出口が、フロントリップと、該フロントリップに対向して配置されてなるリアリップとで構成されている塗布リングを備えた塗布装置を用意する工程と、
（２）円筒状または円柱状の基体を、該基体の回転軸が、該塗布リングの中心軸と同軸となるように、該塗布装置に配置する工程と、
（３）該塗布リングを、該基体の回転軸に沿う方向に相対的に移動させつつ、該塗布リングを備えた塗布装置の吐出口から該基体の外周面に弾性層形成用塗布液を吐出させて、該基体の外周面に、該弾性層形成用塗布液の塗膜を形成する工程と、を有し、
該リアリップには、該基体の回転軸に沿う方向と平行な方向に延びる線状突起が設けられており、
該工程（３）において、該塗布リングの該基体に対する移動を、該リアリップが移動方向の上流側に位置するように行って、該基体の外周面上に形成される該塗膜の表面に、該線状突起に対応する凹凸形状を形成する工程を含む、電子写真用ローラの製造方法、が提供される。
【発明の効果】
【０００９】
本発明の一態様によれば、従来よりも、弾性層の表面に溝を有する電子写真用ローラを安定して形成することができる。
【図面の簡単な説明】
【００１０】
【図１】実施例１で使用した塗布リングを備えた塗布装置の斜視図である。
【図２】実施例１と２で使用したリングの、（ａ）は断面を示す斜視図、（ｂ）は液吐出部拡大図（ｃ）はリアリップ拡大図である。
【図３】実施例１において弾性ローラを製造する方法を示すフローチャートである。
【図４】実施例１と２で使用したローラ１を示す図である。
【図５】実施例１で作製した弾性ローラの全体図と断面図である。
【図６】実施例１で説明したリアリップ内周面の櫛歯形状と作製したローラの断面図例である。
【図７】実施例２で使用した塗布リングを備えた塗布装置の斜視図である。
【図８】実施例２において弾性ローラを製造する方法を示すフローチャートである。
【図９】実施例２で作製した弾性ローラの全体図と断面図である。
【図１０】実施例２で説明した弾性ローラの表面形状例である。
【発明を実施するための形態】
【００１１】
以下、本発明の実施形態について説明する。
本実施例で実施したローラ製造方法とローラには、以下のような思想がある。
従来、塗布リングを備えた塗布装置を用いて作製したローラにおいて、所望の機能をローラに持たせるために、研磨などの後工程を行ない、ローラの表層形状を規定する必要がある場合があった。例えば、ローラの表層形状が必要以上に平滑であると、ローラをベルト駆動ローラとして使用した場合に、ベルトとの接触面積が大きくなることで、ローラとベルトとのタック性が高くなる。使用するベルトの内面がポリエチレンテレフタレート（ＰＥＴ）など比較的柔らかい材質で作製及びコーティングされていると、場合によっては、繰り返しの使用により、ローラがベルト内面を削り、削り粉がローラに付着してベルトスリップを起こす場合がある。また、ベルトにかかる負荷が大きくなるため、ベルトにしわが入り、破断するなどの問題が発生する場合もある。逆に、表層形状が必要以上に粗いと、ベルトとの接触面積が小さくなることで、ローラとベルトとのタック性が低くなり、繰り返しの使用を通じてベルトの搬送性を安定させることが難しくなる場合もある。なお、ここで挙げるベルトとしては、例えば、ポリカーボネート、ポリフッ化ビニリデン（ＰＶＤＦ）、ポリエチレン、ポリプロピレン、ポリメチルペンテン−１、ポリスチレン、ポリアミド、ポリサルフォン、ポリアリレート、ポリエチレンテレフタレート、ポリブチレンテレフタレート、ポリエチレンナフタレート、ポリブチレンナフタレート、ポリフェニレンサルファイド、ポリエーテルサルフォン、ポリエーテルニトリル、熱可塑性ポリイミド、ポリエーテルエーテルケトン、サーモトロピック液晶ポリマー、ポリアミド酸などの熱可塑性樹脂のベルト、芯体にＥＰＤＭ等のゴム材料を被覆したゴムベルト等が挙げられる。
【００１２】
そこで、後工程を省略しつつ、ローラ表面の弾性層に溝を形成することで必要な機能を持たせるローラ製造方法として、本発明を提案している。
［実施例１］
本実施例においては、円筒状または円柱状の基体と、該基体の外周面上の弾性層とを有し、該弾性層の表面に溝を有する電子写真用ローラの製造方法について説明する。前記ローラの製造方法は、以下の３つの工程を有する。（１）内周面に環状の吐出口を有する塗布リングであって、該吐出口が、フロントリップと、該フロントリップに対向して配置されてなるリアリップとで構成されている塗布リングを備えた塗布装置を用意する工程。（２）円筒状または円柱状の基体を、該基体の回転軸が、該塗布リングの中心軸と同軸となるように、該塗布装置に配置する工程。（３）該塗布リングを、該基体の回転軸に沿う方向に相対的に移動させつつ、該塗布リングを備えた塗布装置の吐出口から該基体の外周面に弾性層形成用塗布液を吐出させて、該基体の外周面に、該弾性層形成用塗布液の塗膜を形成する工程。前記リアリップには、該基体の回転軸に沿う方向と平行な方向に延びる線状突起が設けられている。また前記工程（３）は、該塗布リングの該基体に対する移動を、該リアリップが移動方向の上流側に位置するように行い、該基体の外周面上に形成される該塗膜の表面に、該線状突起によって、該線状突起に対応する凹凸形状を形成する工程を含む。
【００１３】
[塗布リングを備えた塗布装置の構成と動作の概略]
（１）塗布リングを備えた塗布装置の構成
図１は本発明の実施例１で使用する塗布リングを備えた塗布装置の斜視図である。図中１はローラである。２はローラ１の外側表面に塗布液を塗布する塗布リングである。塗布リング２には液供給手段（図示せず）より塗布液を供給する液供給管１１が接続されている。塗布液は、シリコーン系樹脂等の高分子からなる溶液である。３は塗布リング２によりローラ１の外側表面に塗布された塗布膜である。６は塗布リング２をローラ１と同軸調芯された状態で支持している塗布リングステージで背面ベース板１２に取り付けられている。１３はローラ昇降ステージで、直動ガイド１０を介して背面ベース板１２に取り付けられている。また、ローラ保持具４を介してローラ１の両端を固定して保持している。ローラ昇降ステージ１３はローラ昇降用モータ７を駆動することによりボールネジ９を回転させれば、直動ガイド１０に添って上下方向に任意の速度で昇降する。なお塗布リング２とローラ１は相対移動する構成であれば良く、ローラ１の方が、またはローラ１と塗布リング２の両方が可動する機構であってもよい。なお本実施形態では、ローラ１を下から上に移動させることで、塗布膜３をローラ１の上から下に向かって塗布するものとする。
【００１４】
（２）塗布リング
次に、本発明の特徴である、塗布リング２について説明する。図２は図１に示した塗布リング２の構成を示しており、（ａ）は全体の断面斜視図、（ｂ）は吐出口付近の拡大断面図、（ｃ）はリアリップ内周面に形成された突起形状を示す拡大図である。塗布リング２はフロントリップ２２とリアリップ２０からなり、その間に液供給管１１が接続された吐出口２１が形成され、そこから塗布液がローラ１の表面に供給される。
【００１５】
図２（ｃ）の拡大図はリアリップ２０の内周面の櫛歯形状の線状突起を示している。吐出口２１によりローラ１に塗布液が供給された後、リアリップ２０内周面の櫛歯形状によって塗布膜３の形状を規制することで所望の表層形状を形成した塗布膜３を作製することができる。本実施例１においては、短半径０．０６５ｍｍ、長直径０．２６ｍｍの半楕円状の溝が０．００５ｍｍ間隔でリアリップ２０の内周面に１°ピッチで３６０本形成されている。また、リアリップ２０とローラ１との隙間は最小値で０．０２５ｍｍとなっている。
【００１６】
なお、前記リアリップ内周面に形成された櫛歯形状の線状突起のローラの周方向に対する、ローラの軸方向の中心軸を回転中心としたときのピッチ角度は１°以上３６０°以下であることが好ましい。
【００１７】
また、前記ローラの外周面に塗布液を塗布して形成される塗膜の厚みをｔとした時に、前記リアリップ内周面に形成された櫛歯形状の線状突起のリアリップ内周面よりの内周面の中心方向に向かった線状突起高さｈが、ｔ≧ｈであらわされることが好ましい。
【００１８】
（３）塗布リングを備えた塗布装置の動作
図１に示した塗布リングを備えた塗布装置を用いて、ローラの周囲に塗布膜を形成し、弾性ローラを製造する方法について説明する。
【００１９】
図３は弾性ローラを製造する方法を示すフローチャートである。
はじめに、ＳＴＥＰ１にて、塗布前のローラを装置外の供給手段（図示せず）によって塗布装置に供給・セットする。図４に本実施例において用いたローラ１を示す。ローラは本体の長手が３２０ｍｍ（そのうち両端部それぞれ０．５ｍｍを除く３１９ｍｍに塗布膜３が形成される）、外径が１５ｍｍ、軸部の長手が３０ｍｍ、外径が６ｍｍであり、材質はＳＵＭ２４ＥＺＣ＋ＫＮ（３〜６μｍ）となっている。ローラ１は塗布リング２内に通され、上下のローラ保持具４に軸部を保持される。このとき、塗布リング２はローラ１の塗布始めの上部に位置している。
【００２０】
次にＳＴＥＰ２に移り、塗布リング２がローラ１の塗布膜３形成開始位置付近にくるようにローラ１を下降させる。
次にＳＴＥＰ３に移り、塗布液供給手段（図示せず）から塗布液を液供給管１１に流入させ、塗布リング２の吐出口２１からローラ１に塗布液を供給する。
【００２１】
次にＳＴＥＰ４に移り、塗布リング２がローラ１の下方向に移動するようにローラ１を上昇させながら、ローラ１の表面に塗布膜３を形成する。このときリアリップ２０内周面の櫛歯形状に合わせてローラ１表層の塗布液が規制され、塗布膜３が形成される。
【００２２】
次にＳＴＥＰ５に移り、塗布リング２がローラ１の塗布膜３形成終了位置にくるまでローラ１が移動すると、ローラ１の上昇を停止し、同時に指定量の塗布液の吐出が完了したら塗布液の供給を停止する。
最後に、ＳＴＥＰ６に移り、塗布膜３が表層に形成されたローラ１を装置外の運搬手段（図示せず）によって塗布装置から次工程に移動させる。
【００２３】
（４）作製されたローラ
図５は本実施例１における塗布リングを備えた塗布装置で作製したローラの全体図と周方向の断面の拡大図である。短半径が０．０６ｍｍ、長直径が０．２６５ｍｍの半楕円状の凸部が、１°ピッチで３６０本形成されている。塗布膜３の厚みは最厚部で０．０９ｍｍ、最薄部で０．０３ｍｍとなっている。
【００２４】
ローラの表面の弾性層に任意の形状を持った溝を形成する方法として、リアリップ２０の内周面に櫛歯形状を作製することで、ローラに塗布液を供給すると同時に塗布膜３の形状を形成することができる。結果、塗布膜３に形状作製のための研磨などの後工程が必要なく、表面の断層面に任意の溝を作製することでローラとベルトと接触面積を規定し、ローラとベルトのタック性の最適化など、ローラに要求される機能を与えることができる。かつリアリップ２０の内周面で塗布膜３の形状が規定されるため、安定して精度良く、簡単に、ローラの弾性層の表面に任意の形状の溝を形成することができる。なお、本実施例で使用した塗布リングのリアリップ２０内周面の櫛歯形状、ローラ１の構成は特に限定するものではなく、所望する弾性ローラに合わせて変更して良い。例えば、リアリップ２０内周面の櫛歯形状は図６に示す、例１、例２のような形状にしても良い。
【００２５】
また、本実施例においては、ローラの外周面に塗布される塗布液として、シリコーン系樹脂等の高分子からなる塗布液を使用したが、特にこれに限定するものではない。塗布リングを備えた塗布装置で所望の溝形状を持った弾性ローラを作製することが可能な塗布液であれば良い。ゴム材料を含む被覆材料で被覆形成し加硫硬化させることにより、該被覆材料の降伏応力が５０Ｐａ以上６００Ｐａ以下であり、かつチキソトロピーインデックスが２．０以上６．５以下である非ニュートン性液状を持った塗布液が好ましい。
【００２６】
以上、本実施例においては、円筒状または円柱状の基体と、該基体の外周面上の弾性層とを有し、該弾性層の表面に溝を有する電子写真用ローラの製造方法について説明した。
【００２７】
［実施例２］
本実施例で説明するローラの製造方法は、実施例１の方法と同じ工程（１）〜（３）を含み、さらに次の特徴を有する。前記塗布リングを備えた塗布装置の、ローラの軸方向両端部を支持するための支持部材には、ローラをローラの長手方向の中心軸を回転中心とし、ローラの周方向に正回転または逆回転させるための駆動源が直接または間接的に連結している。前記駆動源を使用することで、ローラの外周面に塗布液を塗布して塗膜を形成する際に、ローラの長手方向の中心軸を回転中心としてローラを回転させることができる。
【００２８】
なお、前記ローラを回転させるための駆動源は、数値制御可能な電動機を使用し、事前に設定された任意のタイミングでローラの周方向の回転方向や回転速度の変更を行うことを可能としても良い。
【００２９】
[塗布リングを備えた塗布装置の構成と動作の概略]
図７は本発明の実施例２で使用する塗布リングを備えた塗布装置の斜視図である。本実施例で使用する塗布リングを備えた塗布装置、塗布液と塗布リングの基本的な構成及び動作は実施例１のものと同じである。従って、実施例１の説明と重複する部分は省略する。
【００３０】
本実施例では、図７に示す塗布リングを備えた塗布装置はローラ回転用モータ８を備え、ローラ１を保持するローラ保持具４はローラ回転用モータ８に連結している。これにより、本実施例の形態で実施例１と異なるのは、ローラ１の外周面に塗布液を塗布して塗膜を形成する際に、ローラ回転用モータ８を回転させることでローラ１を回転させ、ローラ周方向だけでなくローラ長手方向にも任意の形状の溝を形成することである。
【００３１】
（１）塗布リングを備えた塗布装置の動作
図７に示した塗布リングを備えた塗布装置を用いて、ローラの周囲に塗布膜を形成し、弾性ローラを製造する方法について説明する。
【００３２】
図８は弾性ローラを製造する方法を示すフローチャートである。
はじめに、ＳＴＥＰ１にて、塗布前のローラを装置外の供給手段（図示せず）によって塗布装置に供給・セットする。本実施例におけるローラ１の構成は実施例１と同様である。ローラ１は塗布リング２内に通され、上下のローラ保持具４に軸部を保持される。この時、塗布リング２はローラ１の塗布始めの上部に位置している。
【００３３】
次にＳＴＥＰ２に移り、塗布リング２をローラ１の塗布膜３形成開始上端部分まで下降させる。
次にＳＴＥＰ３に移り、塗布液供給手段（図示せず）により塗布液が液供給管１１に流入し、塗布リング２の吐出口２１からローラ１に塗布液を供給する。
【００３４】
次にＳＴＥＰ４に移り、塗布リング２がローラ１の塗布終わりである下方向に移動し、ローラ１の表面に塗布膜３を形成しながら、同時にローラ回転用モータ８を駆動させ、ローラ１を図７中のＡ方向に回転させる。本実施例においては、塗布リング２がローラ１の長手中央部に到達するまでに、ローラ１を１８０°回転させた。
リアリップ２０内周面の櫛歯形状に合わせてローラ１表層の塗布液が規制され、塗布膜３が形成される。
【００３５】
次にＳＴＥＰ５に移り、塗布リング２がローラ１の長手中央部に到達したら、ローラ回転用モータ８の駆動方向を反転し、ローラ１を図７中のＢ方向に逆回転させる。本実施例においては、塗布リング２が塗布膜３形成終了部分に到達するまでに、ローラ１を１８０°回転させた。
【００３６】
次にＳＴＥＰ６に移り、塗布リング２がローラ１の塗布膜３形成終了下端部分まで移動すると、下降を停止し、同時に指定量の塗布液の吐出が完了したら塗布液の供給を停止する。
最後に、ＳＴＥＰ７に移り、塗布膜３が表層に形成されたローラ１を装置外の運搬手段（図示せず）によって塗布装置から次工程に移動させる。
【００３７】
（２）作製されたローラ
図９は本実施例１における塗布リングを備えた塗布装置で作製したローラの全体図と周方向及び長手方向の断面の拡大図である。周方向の断面は実施例１とほぼ同じになるが、長手方向の断面は短半径が、０．０６ｍｍ、長直径が、０．８９ｍｍの半楕円状の凸部が３６０本形成されている。塗布膜３の厚みは最厚部で、０．０９ｍｍ、最薄部で、０．０３ｍｍとなっている。
【００３８】
実施例１に係るローラとの相違点は、ローラ１に塗布膜３を形成時に、ローラ１をローラ周方向に回転させたことで、形成したローラ長手の溝が螺旋状になっている点である。ローラ長手中央からはローラ１を逆回転させているため、ローラ長手中央からは螺旋の方向が変わっている。
【００３９】
このような溝形状にする利点としては、以下のようなものがある。
実施例１のようにストレートな溝形状をローラ長手方向に形成すると、ベルト駆動ローラとして使用した場合に、ローラ駆動時にベルトとローラが長手全体で周期的にベルトに当接・離間を繰り返すため、構成によっては、剥離音が発生する場合がある。溝形状を長手で螺旋状にすることで、ローラ長手全体で当接・離間となることを防ぎ、剥離音を抑制することができる。さらに、ベルトの内面を駆動する力を、ベルトを広げる方向と駆動する方向に分散させることが可能になり、溝による接触面積低減と併せてベルト内面に対するストレスを軽減させることが可能になる。また、ローラ長手方向で左右対象形状にすることにより、ベルトの寄り方向を左右均一にすることができる。ベルトの進行方向に対し、螺旋をベルトが左右に広がる方向にすることでベルトのたるみによって発生する波打ちを抑制することが可能になる。
【００４０】
上記のように、ローラの外周面に塗布液を塗布して塗膜を形成する際に、任意のタイミングでローラの周方向の回転方向の変更を行うことで、周方向のみならず、長手方向についても任意の塗布膜３の形状を形成することができる。なお、本実施例で行なったローラの周方向の回転条件や表面の溝形状は特に限定するものではなく、所望する弾性ローラに合わせて変更して良い。ローラ表面の溝形状の作製例を図１０に示す。例えば、ローラ１の回転速度を断続的に変化させれば、例３、例４のように溝形状の角度をローラ長手で複数付けることや、ローラ１の回転速度を連続的に変化させれば、例５、例６のようにローラ長手で曲線状に溝形状を作製することができる。
【００４１】
以上、本実施例においては、弾性層の表面に溝を有する電子写真用ローラの製造方法において、駆動源を使用することで、ローラの長手方向の中心軸を回転中心としてローラを回転させることを特徴とするローラの製造方法について説明した。
【符号の説明】
【００４２】
１ローラ
２塗布リング
３塗布膜
４ローラ保持具
６塗布リングステージ
７ローラ昇降用モータ
８ローラ回転用モータ
９ボールネジ
１０直動ガイド
１１液供給管
１２背面ベース板
１３ローラ昇降ステージ
２０リアリップ
２１吐出口
２２フロントリップ
【図１】
2018169588.tif 000003
【図２】
2018169588.tif 000004
【図３】
2018169588.tif 000005
【図４】
2018169588.tif 000006
【図５】
2018169588.tif 000007
【図６】
2018169588.tif 000008
【図７】
2018169588.tif 000009
【図８】
2018169588.tif 000010
【図９】
2018169588.tif 000011
【図１０】
2018169588.tif 000012